(57)【特許請求の範囲】
【請求項１】
掃除機本体内に電動送風機および該電動送風機に連通した集塵室が設けられた電気掃除機において、
前記電動送風機は円筒形状のハウジングを有し、
前記ハウジングの円筒面近傍には前記電動送風機の温度を感知するサーモスタットが設けられ、
前記サーモスタットは平面状の温度感知面を有するとともに、該温度感知面と前記ハウジングの円筒面との間に隙間が存在していることを特徴とする電気掃除機。
【請求項２】
掃除機本体内に電動送風機および該電動送風機に連通した集塵室が設けられた電気掃除機において、
前記電動送風機は円筒形状のハウジングを有し、
前記ハウジングには平面部を有する取付金具が固定され、前記平面部には前記電動送風機の温度を感知するサーモスタットが前記ハウジングの円筒面近傍に設けられ、
前記サーモスタットは平面状の温度感知面を有するとともに、その温度感知面が前記ハウジング側に向けられ且つ前記平面部に密接していることを特徴とする電気掃除機。
【請求項３】
請求項２に記載の電気掃除機において、
前記取付金具の他端側は１８０度折り返され、その折り返された部分にはＵ字状の切り欠きが形成され、その切り欠きに合わせて前記サーモスタットが取り付けられていることを特徴とする電気掃除機。
【請求項４】
請求項３に記載の電気掃除機において、
前記折り返された部分の底部には穴が形成され、その穴に前記サーモスタットのフランジが差し込まれていることを特徴とする電気掃除機。
【発明の詳細な説明】
【０００１】
【発明の属する技術分野】
本発明は電気掃除機に係り、特に電動送風機の異常発熱を感知するために、電動送風機のハウジング側面にサーモスタットが設けられた電気掃除機に関する。
【０００２】
【従来の技術】
電気掃除機においては、電動送風機は高速回転し発熱するため、電動送風機を冷却する必要がある。通常は、電動送風機の回転に伴って吸込口体から空気を吸い込み、この吸い込んだ空気を電動送風機の周囲に流すことにより、電動送風機を冷却している。
【０００３】
しかし、集塵部のフィルターが塵埃により目詰まりしたり、ホースに異物が詰まったりして、電動送風機の周囲に十分な空気を流せなくなると、電動送風機が異常に加熱され、電動送風機が損傷する恐れがある。
【０００４】
そこで、電動送風機の温度を感知するサーモスタットを電動送風機のハウジング側面に設け、電動送風機が異常に加熱されたときには、回路を遮断して電動送風機の回転を止め、電動送風機の損傷を未然に防ぐようにした電気掃除機が提案されている（特開平４−３１７６１７号公報）。
【０００５】
【発明が解決しようとする課題】
しかしながら、上記従来の電気掃除機では、サーモスタットを取り付ける際に、サーモスタットを電動送風機のハウジング側面に対して押圧するため、サーモスタットが破損してしまう恐れがある。すなわち、電動送風機のハウジング側面は円筒面をなしているのに対し、サーモスタットの温度感知面は平面であるから、温度感知面をハウジン側面に密接させるには、サーモスタットをハウジング側面に対して押圧しなければならず、このときに押圧力が強すぎると、温度感知面が変形してサーモスタットの内部機構が破損してしまうことがある。
【０００６】
本発明の目的は、電動送風機のハウジングにサーモスタットを取り付ける際の、サーモスタットの破損を防ぐことのできる電気掃除機を提供することにある。
【０００７】
【課題を解決するための手段】
上記目的を達成するために、請求項１に記載の発明は、掃除機本体内に電動送風機および該電動送風機に連通した集塵室が設けられた電気掃除機において、前記電動送風機は円筒形状のハウジングを有し、前記ハウジングの円筒面近傍には前記電動送風機の温度を感知するサーモスタットが設けられ、前記サーモスタットは平面状の温度感知面を有するとともに、該温度感知面と前記ハウジングの円筒面との間に隙間が存在していることを特徴としている。
【０００８】
このように、サーモスタットの温度感知面と電動送風機のハウジングの円筒面との間に隙間が存在するように構成しておけば、サーモスタットの取付時に温度感知面がハウジング側面に押圧されて変形してしまうといった事態を回避でき、サーモスタットが破損するのを防止できる。
【００１１】
請求項２に記載の発明は、
掃除機本体内に電動送風機および該電動送風機に連通した集塵室が設けられた電気掃除機において、前記電動送風機は円筒形状のハウジングを有し、前記ハウジングには平面部を有する取付金具が固定され、前記平面部には前記電動送風機の温度を感知するサーモスタットが前記ハウジングの円筒面近傍に設けられ、前記サーモスタットは平面状の温度感知面を有するとともに、その温度感知面が前記ハウジング側に向けられ且つ前記平面部に密接していることを特徴としている。
【００１２】
上記構成によれば、サーモスタットの温度感知面が取付金具の平面部に密接しているので、サーモスタットの取付時に温度感知面が変形することはなく、この場合も、サーモスタットが破損することはない。
【００１３】
請求項３に記載の発明は、請求項２において、前記取付金具の他端側は１８０度折り返され、その折り返された部分にはＵ字状の切り欠きが形成され、その切り欠きに合わせて前記サーモスタットが取り付けられていることを特徴としている。
【００１４】
通常、サーモスタット外面は円筒面をなしているので、その円筒面を上記Ｕ字状の切り欠きに合わせてサーモスタットを取り付けるようにすれば、取付操作が容易となる。この場合、サーモスタットには菱型形状のフランジが設けられているので、請求項４のように、前記折り返された部分の底部に穴を形成しておけば、その穴にフランジ先端を差し込むことができる。そして、このようにフランジ先端を穴に差し込むことにより、サーモスタットの回転が抑えられ、これによってサーモスタットの配線のねじれを防止できる。
【００１５】
【発明の実施の形態】
以下、本発明の実施の形態を図面に従って説明する。
（実施の形態１）
図１は、本発明に係る電気掃除機の掃除機本体の内部構成を示している。図において、掃除機本体１には上ケース２と下ケース３が設けられ、上ケース２と下ケース３で形成される空間内に、電動送風機４および電動送風機４に連通した集塵室５が設けられている。集塵室５の上方には集塵ケース蓋６が設けられており、この集塵ケース蓋６の一側（図の右側）は上ケース２に、他側（図の左側）は下ケース３にそれぞれ係止されている。集塵ケース蓋６は開閉自在である。なお、集塵室５内には、使い捨て袋状紙フィルターがセットされる。
【００１６】
下ケース３にはホース取付口７が設けられており、このホース取付口７には図示してない延長管が取り付けられる。延長管はホース取付口７に着脱自在である。延長管には吸込口体がセットされたホースが接続され、その延長管をホース取付口７に取り付けると、延長管およびホースを介して前記吸込口体と集塵室５とが連通する。そして、電動送風機４を回転させると、吸込口体から吸引された空気が、図１においてはホース取付口７側から右側に向かって空気が流れる。空気の流れに対して、電動送風機４の上流側（左側）には保護フィルター８が、下流側（右側）には排気フィルター９がそれぞれ設けられている。
【００１７】
また、電動送風機４のハウジング１０の側面には、サーモスタット１１が取り付けられている。このサーモスタット１１は電動送風機４の温度を感知して、その感知温度に応じて、電動送風機４へ供給される電気のオンオフを制御するものである。
【００１８】
通常、電動送風機４が回転しているときは、前述したようにホース取入口７側から排気フィルター９側へ空気が流れ、この空気流によって電動送風機４は冷却されている。ところが、集塵室５にセットした使い捨て袋状紙フィルターが塵埃により目詰まりしたり、ホースに異物が詰まったりしたときは、ホース取入口７側から排気フィルター９側へ流れる空気量が減少し、これにより電動送風機４が十分に冷却されなくなるため、電動送風機４の温度が上昇する。
【００１９】
電動送風機４のハウジング１０にサーモスタット１１を取り付けておけば、サーモスタット１１により電動送風機４の温度を感知することができ、電動送風機４の温度が上昇したときは、電動送風機４への電気の供給を停止して、電動送風機の加熱を防止できる。電動送風機４の温度が低下すれば、勿論、電動送風機４への電気の供給は再開される。
【００２０】
本実施の形態では、電動送風機４のハウジング１０にサーモスタット１１を取り付けるための取付構造に特徴がある。以下、この取付構造について図２〜図６を用いて詳細に説明する。
【００２１】
図２は電動送風機４のハウジング１０の正面図、図３および図４はその側面図および上面図である。また、図５はサーモスタット１１をハウジング１０に取り付けるための取付金具１２の構造図、図６はサーモスタット１１の構造図である。
【００２２】
まず、図６において、（ａ）はサーモスタット１１の正面図、（ｂ）はその右側面図、（ｃ）はその上面図である。サーモスタット１１は、図に示すように、略円柱形状をなし内部に温度に応じて開閉するスイッチを内蔵した本体部１１Ａと、本体部１１Ａの端面に設けられたリード線１１Ｂと、本体部１１Ａの中間部に設けられた菱型形状のフランジ１１Ｃとを有する。フランジ１１Ｃには、サーモスタット１１を後述する取付金具等に取り付けるためのネジ穴１１Ｄが形成されている。また、本体部１１Ａの端面のうち、リード線１１Ｂを有する端面とは反対側の端面が温度感知面１１Ｅである。
【００２３】
図５において、（ａ）は取付金具１２の上面図、（ｂ）はその左側面図、（ｃ）は（ａ）のＡ−Ａ線に沿った断面図、（ｄ）は取付金具１２の上面図である。取付金具１２は、図に示すように１枚の平板から加工成形されており、その中央部に平面部１２Ａを有する。平面部１２Ａの一側（正面図では上側）は９０度折り曲げられ固定部１２Ｂとなっており、この固定部１２Ｂのネジ穴１２Ｃに挿通されるネジにより、取付金具１２は電動送風機のハウジングに固定される。平面部１２Ａの他側（正面図では下側）には固定部１２Ｂとは逆向きに１８０度折り返された折り返し部１２Ｄが設けられ、その折り返し部１２ＤにＵ字状切り欠き１２Ｅが形成されている。Ｕ字状切り欠き１２Ｅの円弧形状は、サーモスタット１１の本体部１１Ａの外周面に合致した形状をしている。折り返し部分１２Ｄの底部には細長い穴１２Ｆが形成されている。
【００２４】
また、平面部１２Ａはその一部がコ字状に切り抜かれており、これによって小片１２Ｇが形成されている。小片１２Ｇはその先端が立ち上げられ、平面部１２Ａの垂直方向に弾性を有している。なお、取付金具１２は熱伝導率の高い材料（例えば、アルミニウムや銅など）で形成されている。
【００２５】
サーモスタット１１を取付金具１２に取り付ける場合は、サーモスタット１１の温度感知面１１Ｅを取付金具１２の平面部１２Ａに密接させながら、フランジ１１Ｃを平面部１２Ａと折り返し部１２Ｄとの間に挿入していき、フランジ１１Ｃの頂部を細長い穴１２Ｆに差し込むと同時に、サーモスタット１１の本体部１１Ａの外周面を取付金具１２のＵ字状切り欠き１２Ｅに嵌合させる。本体部１１ＡをＵ字状切り欠き１２Ｅに完全に嵌合させると、小片１２Ｇが僅かに立ち上がり本体部１１Ａを係止するので、サーモスタット１１はその挿入方向の移動が規制される。また、Ｕ字状切り欠き１２Ｅの形状が本体部１１Ａの外周面に合致しているので、本体部１１ＡをＵ字状切り欠き１２Ｅに完全に嵌合させると、サーモスタット１１は、平面部１２Ａに沿った、前記挿入方向に直角な方向の移動も規制される。
【００２６】
さらに、取付金具１２の折り返し部１２Ｄは平面部１２Ａの垂直方向に弾性を有しており、折り返し部１２Ｄを平面部１２Ａから離す方向に広げると、元へ戻るように作用する。このため、平面部１２Ａと折り返し部１２Ｄとの間に挿入されたフランジ１１Ｃは平面部１２Ａと折り返し部１２Ｄとで挟持された格好となり、サーモスタット１１は平面部１２Ａに垂直な方向の移動も規制される。
【００２７】
以上のように、取付金具１２に取り付けられたサーモスタット１１は、縦横および高さの３方向の全てについてその移動が規制されており、サーモスタット１１を取付金具１２に強固に固定することができる。その結果、サーモスタット１１の温度感知面１１Ｅを固定金具１２の平面部１２Ａに密接させることが可能となる。
【００２８】
サーモスタット１１が取り付けられた取付金具１２は、図２〜図４に示すように、その固定部１２Ｂのネジ穴１２Ｃに挿通されるネジ１３により電動送風機４のハウジング１０端面に固定される。そして、電動送風機４の熱は取付金具１２を介してサーモスタット１１の温度感知面１１Ｅへ伝達され、その伝達されてきた熱をサーモスタット１１が感知する。感知した温度が所定値より高ければ、サーモスタット１１は回路を遮断して電動送風機４への電気の供給を停止する。
【００２９】
本実施の形態によれば、サーモスタット１１の温度感知部１１Ｅが取付金具１２の平面部１２Ａに密接した構造であるので、サーモスタット１１を取付金具１２に取り付ける場合でも、温度感知部１１Ｅが変形することはなく、サーモスタット１１の破損を防止できる。
また、ネジ等を用いることなく、サーモスタット１１を取付金具１２に取り付けることができ、取付作業を効率よく行うことができる。
【００３０】
（実施の形態２）
図７および図８は本発明の実施の形態２を示しており、図７は電動送風機４のハウジング１０の正面図、図８はその側面図である。本実施の形態では、取付金具２０はＬ字状に折り曲げられており、一側の半分に固定部２０Ａが、他側の半分にサーモスタット取付部２０Ｂが設けられている。固定部２０Ａはネジ１３により電動送風機４のハウジング１０端面に固定される。
【００３１】
図示してないがサーモスタット取付部２０Ｂには円形の穴が形成されており、この穴にサーモスタット１１の本体部１１Ａが挿通されている。また、サーモスタット１１のフランジ１１Ｃに形成されたネジ穴１１Ｄ（図６参照）にはネジ２１が挿通されており、このネジ２１によって、サーモスタット１１はサーモスタット取付部２０Ｂに強固に取り付けられている。
【００３２】
サーモスタット１１の温度感知面１１Ｅはハウジング１０側面の近傍に配置されているが、ハウジング１０側面に接しておらず、温度感知面１１Ｅとハウジング１０側面との間には隙間がある。
【００３３】
本実施の形態によれば、サーモスタット１１の温度感知部１１Ｅが電動送風機４のハウジング１０側面から離れた構造であるので、サーモスタット１１が取り付けられた取付金具２０をハウジング１０に固定する際に、温度感知部１１Ｅを変形させてしまうことはなく、サーモスタット１１の破損を防止できる。
【００３４】
（実施の形態３）
図９および図１０は本発明の実施の形態３を示しており、図９は電動送風機４のハウジング１０の正面図、図１０はその側面図である。本実施の形態では、取付金具を用いないでサーモスタットを直接ハウジングに固定するようにした点に特徴がある。すなわち、本実施の形態のサーモスタット３０は、フランジ３１の一方が引き伸ばされ、その引き伸ばされた部分がＬ字状に折り曲げれており、その先端に固定部３２が形成されている。固定部３２はネジ１３により電動送風機１０のハウジング１１端面に固定される。
【００３５】
サーモスタット３０の本体部３０Ａは略円柱形状をなし、その内部に温度に応じて開閉するスイッチを内蔵している。本体部３０Ａの一端面にはリード線３０Ｂが、他端面には温度感知面３０Ｃがそれぞれ設けられている。そして、温度感知面３０Ｃはハウジング１０側面の近傍に配置されているが、ハウジング１０側面に接してはいない。
【００３６】
本実施の形態によれば、サーモスタット３０の温度感知部３０Ｃが電動送風機４のハウジング１０側面から離れた構造であるので、サーモスタット３０をハウジング１０に取り付ける際に、温度感知部３０Ｃを変形させてしまうことはなく、サーモスタット３０の破損を防止できる。
また、サーモスタット３０をハウジング１０に直接取り付ける構造であるから、取付金具が不要となり、部品点数を低減できる。
【００３７】
【発明の効果】
以上説明したように、請求項１の発明によれば、サーモスタットの温度感知面と電動送風機のハウジング円筒面との間に隙間が存在している構造としたので、サーモスタットをハウジングに取り付ける際に、従来のように温度感知面をハウジング円筒面に押し付ける必要はなく、サーモスタットの破損を防止することができる。
【００３８】
請求項２に記載の発明によれば、サーモスタットの温度感知面と取付金具の平面部とが密接する構造としたので、サーモスタットを取付金具に取り付ける際に、温度感知面をハウジング側面に押し付ける必要がなく、上記と同様にサーモスタットの破損を防止することができる。
【００３９】
請求項３に記載の発明によれば、サーモスタットの円筒面をＵ字状の切り欠きに合わせて取り付けることができ、その取付操作が容易となる。
また、請求項４の発明よれば、サーモスタットの回転が抑えられ、これによってサーモスタットの配線のねじれを防止できる。
【図面の簡単な説明】
【図１】本発明に係る電気掃除機の縦断面図である。
【図２】本発明の実施の形態１におけるハウジングの正面図である。
【図３】図３の側面図である。
【図４】図３の上面図である。
【図５】取付金具の構造を示しており、（ａ）は正面図、（ｂ）は左側面図、（ｃ）は（ａ）のＡ−Ａ線に沿った断面図、（ｄ）は上面図である。
【図６】サーモスタットの構造を示しており、（ａ）は正面図、（ｂ）は右側面図、（ｃ）は上面図である。
【図７】本発明の実施の形態２におけるハウジングの正面図である。
【図８】図７の側面図である。
【図９】本発明の実施の形態３におけるハウジングの正面図である。
【図１０】図９の側面図である。
【符号の説明】
１  掃除機本体
４  電動送風機
５  集塵室
７  ホース取付口
１０  ハウジング
１１  サーモスタット
１１Ｃ  フランジ
１１Ｅ  温度感知面
１２  取付金具
１２Ａ  平面部
１２Ｄ  折り返し部
１２Ｅ  Ｕ字状切り欠き
１２Ｆ  細長い穴
【図１】
0003660092.tif 000002
【図２】
0003660092.tif 000003
【図３】
0003660092.tif 000004
【図４】
0003660092.tif 000005
【図５】
0003660092.tif 000006
【図６】
0003660092.tif 000007
【図７】
0003660092.tif 000008
【図８】
0003660092.tif 000009
【図９】
0003660092.tif 000010
【図１０】
0003660092.tif 000011